(57)【要約】【課題】ドアノブに設けられた施錠装置においても、その施錠忘れを確実に防止させることのできる施錠装置を提供する。【解決手段】ドアノブ２に設けられ垂直配置と水平配置との間で回動可能に形成されたツマミ部２aと、このツマミ部２aの変位に連動して動作し前記ツマミ部２aが水平配置されたことに応じてドア４と対向する位置に設けられた施錠孔４aに挿入されドア４と施錠孔４aとの間を施錠するドアロック部３とを有してなる施錠装置において、前記ツマミ部２aに取付けられその自重により前記ツマミ部２aを水平配置へ向かって変位させる施錠ウェート部１bを設けて構成した。【選択図】図１
2006194035.tif 000002
【特許請求の範囲】
【請求項１】
ドアノブに設けられ垂直配置と水平配置との間で回動可能に形成されたツマミ部と、このツマミ部の変位に連動して動作し前記ツマミ部が水平配置されたことに応じてドアと対向する位置に設けられた施錠孔に挿入されドアと施錠孔との間を施錠するドアロック部とを有してなる施錠装置において、
前記ツマミ部に取付けられその自重により前記ツマミ部を水平配置へ向かって変位させる施錠ウェート部を設けて構成したことを特徴とする施錠装置。
【請求項２】
前記請求項1に記載の施錠装置において、前記ツマミ部は、取付け孔を有すると共に、前記施錠ウェート部は、前記ツマミ部の取付け孔と対向する位置に設けたネジ穴と、前記取付け孔に挿入したあと前記ネジ穴に螺合し前記ツマミ部と施錠ウェート部とを締結固定する締結具とを有して構成したことを特徴とする施錠装置。
【請求項３】
前記請求項２に記載の施錠装置において、前記施錠ウェート部のネジ穴は、前記ツマミ部取付け穴の正背面両側で対向するよう二つ設けたことを特徴とする施錠装置。
【発明の詳細な説明】
【技術分野】
【０００１】
本発明は、ドアノブに設けられる施錠装置に関する。
【背景技術】
【０００２】
一般に、ドアノブに設けられた施錠装置としては、ドアノブに設けられたツマミ部を、垂直配置から水平配置へ回動させることにより、このツマミ部と連動して動作するドアロック部をドアと対向する位置に設けられた施錠孔に挿入させ、ドアと施錠孔との間を施錠するものが知られている(特許文献１参照)。
【特許文献１】特開２００４−２１１３６３号公報（図１）
【発明の開示】
【発明が解決しようとする課題】
【０００３】
しかし、前記特許文献1に記載の従来技術によれば、開錠した後に必ずツマミ部を操作して施錠しなくてはならず、頻繁に開錠施錠を繰り返す建築現場などにおいて使用される場合、施錠忘れが発生するという欠点があった。
【０００４】
本発明は、上記不都合を鑑みてなされたもので、その目的は、施錠忘れを確実に防止することのできる施錠装置を提供するにある。
【課題を解決するための手段】
【０００５】
前記目的を達成するために、本発明の請求項１では、ドアノブに設けられ垂直配置と水平配置との間で回動可能に形成されたツマミ部と、このツマミ部の変位に連動して動作し前記ツマミ部が水平配置されたことに応じてドアと対向する位置に設けられた施錠孔に挿入されドアと施錠孔との間を施錠するドアロック部とを有してなる施錠装置において、前記ツマミ部に取付けられその自重により前記ツマミ部を水平配置へ向かって変位させる施錠ウェート部を設けて構成したことを特徴とする。
【０００６】
上記構成によれば、前記ツマミ部が垂直状態となるよう開錠しても、施錠ウェート部によりツマミ部を水平配置へ向かって変位させて自動的に施錠することができるので施錠忘れを確実に防止することが出来る。
【０００７】
さらに本発明の請求項２では、前記ツマミ部は、取付け孔を有すると共に、前記施錠ウェート部は、前記ツマミ部の取付け孔と対向する位置に設けたネジ穴と、前記取付け孔に挿入したあと前記ネジ穴に螺合し前記ツマミ部と施錠ウェート部とを締結固定する締結具とを有して構成したことを特徴としている。
【０００８】
この構成により、施錠ウェート部を前記ツマミ部に確実に施錠固定することができ、施錠ウェート部の脱落を未然に防止することが出来る。
【発明の効果】
【０００９】
本発明によれば、施錠忘れを確実に防止することのできる施錠装置を提供することができる。
【発明を実施するための最良の形態】
【００１０】
以下、本発明の施錠装置の実施形態を図に基づき説明する。
【００１１】
図１は本発明の一実施形態になる施錠装置が開錠状態にあるドアノブに取付けられた状態を示す斜視図、図２は本発明の一実施形態になる施錠装置が施錠状態にあるドアノブに取付けられた状態を示す斜視図、図３は本発明の一実施形態になる施錠装置を示す側面図、図４は図3の正面図、図５は本発明の一実施形態になる施錠装置の全体斜視図、図６本発明の一実施形態になるドアノブのツマミ部に穿設を施した状態を示す斜視図、図７は開錠状態にあるドアノブの斜視図、図８は図7の時の施錠関係を示す図、図9は施錠状態にあるドアノブの斜視図、図１０は図９の時の施錠関係を示す図、図１１は本発明の施錠装置を設ける場所を示した斜視図である。
【００１２】
まず、図７から図１０を用いて、本発明の施錠装置の要部である施錠ウェート部以外の構成について説明する。
【００１３】
施錠構造としては、ドアノブ２に設けられたツマミ部２ａを、図７に示す垂直配置から図９に示す水平配置へ回動することに連動して、ドアロック部３が、図８に示す状態から図１０に示す状態となるよう突出するよう動作する。
【００１４】
これによりドアロック部３は、ドア４と対向する位置に配設されたドア枠４１に設けられた施錠孔４ａに挿入された状態で保持されることとなり、ドア４は開閉できない施錠された状態となる構造である。なお図中、開閉ガイド部３ａは、ドア４の開閉に応じてこのガイド部３ａと対向するように前記ドア枠４１に設けられたガイド孔４ｂとの間に挿入されるよう伸縮自在に構成されている。
【００１５】
また本実施の形態において、頻繁に施錠開錠が繰り返されると想定している使用場所は、図１１に示したような場合が一例として考えられる。ここで図１１は、改修工事時にエレベータの乗場５を覆うよう設けられる仮囲い６を示しており、そのドア４に設けられるドアノブ２に設けられた施錠装置を上記の使用場所として想定している。
【００１６】
次に、本発明の要部である施錠ウェート部１についての構成を、図１から図６を用いて説明する。
【００１７】
図３から図５に示すとおり施錠ウェート部１は、ウェート部１ｂと、ツマミ部２ａへの取付部１ａとを有して成り、取付部1ａには前記ツマミ部２ａの両面を挟むＵ字部１１が設けられている。
【００１８】
さらにＵ字部１１には、ほぼ同一孔芯で同一径のネジ穴１１ａ、１１ｂがそれぞれ設けられており、このネジ穴１１ａ、１１ｂには締結具であるビス１１ｃが螺合する構成となっている。
【００１９】
また図6に示すとおり、前記ツマミ部2ａには、施錠ウェート部１を取付ける取付孔２１ａが穿設されている。
【００２０】
そして施錠ウェート部１を、ツマミ部2ａに取付ける際には、前記取付孔２１aとネジ穴１１ａ、１１ｂとが対向するように配置した後、前記ビス１１ｃを、ネジ穴１１ａに螺合させた後取付孔２１ａに挿入しその後ネジ穴１１ｂに螺合させる。
【００２１】
これにより、施錠ウェート部１はツマミ部２ａにビス１１ｃにより締結固定され、脱落することはない。
【００２２】
なお、施錠ウェート部１は、その自重により前記ツマミ部2ａを水平配置へ向かって変位させるよう構成されている。
【００２３】
以上のとおり本発明の施錠装置によれば、前記ツマミ部2ａが垂直状態となるよう開錠しても、施錠ウェート部１によりツマミ部２ａを水平配置へ向かって変位させて自動的に施錠することができるので施錠忘れを確実に防止することが出来る。
【００２４】
さらに本発明によれば、前記ツマミ部２ａに設けた取付け孔２１aと、前記施錠ウェート部１のＵ字部１１に設けたネジ穴１１ａ、１１ｂとを、締結具であるビス１１ｃで締結固定するよう構成したため、施錠ウェート部を前記ツマミ部に確実に施錠固定することができ、施錠ウェート部の脱落を未然に防止することが出来る。
【図面の簡単な説明】
【００２５】
【図１】本発明の一実施形態になる施錠装置が開錠状態にあるドアノブに取付けられた状態を示す斜視図である。
【図２】本発明の一実施形態になる施錠装置が施錠状態にあるドアノブに取付けられた状態を示す斜視図である。
【図３】本発明の一実施形態になる施錠装置を示す側面図である。
【図４】図3の正面図である。
【図５】本発明の一実施形態になる施錠装置の全体斜視図である。
【図６】本発明の一実施形態になるドアノブのツマミ部に穿設を施した状態を示す斜視図である。
【図７】開錠状態にあるドアノブの斜視図である。
【図８】図7の時の施錠関係を示す図である。
【図９】施錠状態にあるドアノブの斜視図である。
【図１０】図９の時の施錠関係を示す図である。
【図１１】本発明の施錠装置を設ける場所を示した斜視図である。
【符号の説明】
【００２６】
１      施錠ウェート部
１ａ    ツマミ取付け部
１ｂ    施錠ウェート部
２      ドアノブ
２ａ    ツマミ部
２１ａ   ツマミ部取付け穴
３      ドアロック部
３a      ガイド゛部  
４      ドア
４ａ    施錠孔
４ｂ    ガイド孔
４１    ドア枠
５      エレベータの乗場
６      仮囲い
１１    Ｕ字部
１１ａ  Ｕ字部のネジ穴
１１ｂ  Ｕ字部のネジ穴
１１ｃ  締結用ビス
【図１】
2006194035.tif 000003
【図２】
2006194035.tif 000004
【図３】
2006194035.tif 000005
【図４】
2006194035.tif 000006
【図５】
2006194035.tif 000007
【図６】
2006194035.tif 000008
【図７】
2006194035.tif 000009
【図８】
2006194035.tif 000010
【図９】
2006194035.tif 000011
【図１０】
2006194035.tif 000012
【図１１】
2006194035.tif 000013